【事件の表示】
　特願２０００−２５０１１８「パチンコ機」拒絶査定不服審判事件〔平成１４年　４月１６日出願公開、特開２００２−１１３２１３〕について、次のとおり審決する。
【結　論】
　本件審判の請求は、成り立たない。
【理　由】
　
第１．手続きの経緯・本願発明　
　本願は、平成１２年８月２１日（優先権主張；平成１２年８月４日）の出願であって、平成１４年１０月１１日付けで拒絶理由通知がなされ、これに対し、同年１１月２０日付けで手続補正がなされ、平成１５年９月２日付けで拒絶査定がなされ、これに対し、同年９月２９日に拒絶査定に対する審判請求がなされるとともに、同日付けで手続補正がなされ、その後、当審において平成１９年８月１７日付けで、前記平成１５年９月２９日付けの手続補正が却下されるとともに拒絶理由通知がなされ、これに対し、平成１９年１０月１７日付けで手続補正がなされたものである。
　そして、本願の請求項１及び２に係る発明は、上記平成１９年１０月１７日付け手続補正によって補正された特許請求の範囲の請求項１及び２に記載されたとおりのものと認められるところ、その請求項１に記載された発明は次のとおりのものである。
　　　
　【請求項１】　遊技球を貯留する遊技球タンクと、遊技球を払い出す遊技球払出装置とが、整列通路を介して連通しているパチンコ機であって、
　整列通路の近傍に設けられた設置凹部内に２つのガイド壁が平行に突設されているとともに、
　前方へは摘みを、後方へは支持部をそれぞれ突出させ、さらに、前記支持部の上端縁に、先端に傾斜を設けて刀身状に形成された塞き止め片が突設された球止め部材が、前記２つのガイド壁の間に前記支持部を挿入させた状態で、上下にスライド自在に設けられており、
　前記球止め部材の上方へのスライドによって、前記塞き止め片が前記整列通路内に進入して前記遊技球払出装置への遊技球の流下を防止し、塞き止め状態にある前記球止め部材の下方へのスライドによって、前記塞き止め片が前記整列通路内から退出して前記遊技球払出装置への遊技球への流下を許容する一方、
　前記球止め部材に弾性係止片を設けるとともに、前記整列通路の近傍に係合突起を設け、前記弾性係止片と前記係合突起との係合により、前記球止め部材を前記塞き止め状態で保持可能としたことを特徴とするパチンコ機。（以下「本願発明」という。）
　
第２．当審の拒絶理由通知に引用された刊行物に記載された発明　
　刊行物１：特公平２−５８９５０号公報　
　刊行物２：特開平９−２８５６１７号公報
　刊行物３：特開平１１−２２６２１１号公報
　　
　当審の拒絶理由通知に引用され、本願出願前に頒布された特公平２−５８９５０号公報（以下、「引用刊行物１」という。）には、次の事項が記載されている。
　（１ａ）第１頁第２欄第２１行乃至第２８行には「これら図面中に示される符号１はパチンコ機の機枠体２内部に固定される浅い箱形に金属板で成形した基枠板で、３は基枠板の略中央部に開設した窓、４はこの窓を避けた基枠板の左寄り上部に取付けた賞球の貯留タンク、５はこの貯留タンクの下部に連続させた球供給樋で、この球供給樋５と貯留タンク４は基枠板背面に固定的に取付けられる。」と、
　（１ｂ）第２頁第３欄第１０行乃至第１６行には「９は遊技板１０に設ける入賞装置を通して飛入したセーフ球を検出するセーフ球検出器を始めとするセーフ球検出装置の部品と、セーフ球検出器が検出したセーフ球に対応して賞球を放出する賞球ケースを始めとする賞球装置の諸部品並びにこの両装置を連絡する連動装置を一体に組込んでなる機構枠体である。」と、
　（１ｃ）第２頁第３欄第３９行乃至第４欄第１０行には「２１は賞球ケース１５の下端開口部を塞いで賞球の放出を阻止し、後述するセーフ球検出器の作動があつたとき開放して賞球を賞球放出路１７に放出するケース蓋で、２２は上記ケース蓋２１が開放状態にあるとき賞球ケースへ後続の球が流入しないよう止める流入規制用の制御片であり、２３はこのケース蓋２１と制御片２２が常に一定の関係で連動するため背面側、つまり部屋１２側に揺動可能に枢着した作動部材である。
　この実施例における賞球装置は上記賞球ケース１５、ケース蓋２１、制御片２２と賞球誘導路１４の一部と作動部材２３を以て構成してあり、貯留タンク４ら球供給樋を通して誘導路１４に導かれた賞球は賞球ケース１５に入り下端開口部を閉じる蓋２１の位置で止められ、ケース内に満される。」と、
　（１ｄ）第３頁第６欄第３４行乃至第４頁第７欄第２７行には「このロツク装置５５は第５〜７図に拡大して示す如く、基枠板１に固定される球供給樋５の出口上部に支軸５ｂにより回動自由に軸承される回動ロツク板５７と、このロツク板の回動に連動してガイド５８′に沿つて上下動し、上記球供給樋５の出口を開閉するストツパー部材５８から構成されている。回動ロツク板５７は略扇形状に形成した板部に傾斜した長孔５９を形成し、この長孔にストツパー部材５８のボス状突起６０を滑合させて連結してあり、ロツク時にはハンドル６１を垂直に起立させてロツク板５７の一部を球供給樋５の前方に突き出し、この供給樋の先端に衝き合せ状に召し合せられる機構枠体９の上部自由端に設ける係合部６２に係合させてこれの開放を拘束するようにしてある。
  第５，６図はこの拘束状態を示したもので、このときストツパー部材５８は上昇して下端を球供給樋５の出口から引き上げ、この出口に臨む機構枠体６の賞球誘導路１４を連通することになる。
  次に、この状態においてハンドル６１を右方に倒すと、ロツク板５７の突出した部分が機構枠体の係合部６２から後退して係合を脱し、機構枠体の開放を自由にすると同時に、ロツク板５７の回動に伴つて傾斜長孔５９がこれに滑合するボス６０を押下げるため、ストツパー部材５８が下降し、球供給樋５を塞ぎ賞球用貯留球の流れを止めることになる（第７図）。
  即ち、ストツパー部材５８を備えたロツク装置５５は、機構枠体９を常には閉じ合せ状態に拘束し、基枠板背面に固定された球供給樋５に補球誘導路１４を連通させて貯留球を賞球装置に供給可能に設定せしめ、必要によつて機構枠体を基枠板１の背面から開放する際にはロツク板５７の回動によつて係合部６２から脱し、その開放を自由にすると同時に、ストツパー部材５８を下降させて球供給樋５を閉ざし、機構枠体の開放によつて開くこの樋からの球の流出を未然に防止することになる。」と、
　（１ｅ）第４頁第８欄第９行乃至第２４行には「本発明は上述の如く構成されるもので、蝶着部を支点に基枠板１の背面に対し開閉自由に取付けられた機構枠体９は基枠体の背面に閉じ合せ、次にロツク装置５５のロツク板５７を回動させることで開放を拘束できると同時に、この回動操作に伴つてストツパー部材５８が上昇し、球供給樋５を開くため自動的に賞球装置への球の補給がなされる一方、機構枠体内部の保守、点検、故障の修理等のため開放する必要のある場合には上記ロツク板５７の回動でロツク状態を解除できると同時にストツパー部材５８が球供給樋５の出口を閉ざすためこの樋を導かれた貯留球が落下することがなく、開放作業の際、貯留タンク内の球を抜き取つたりする手間が省け、しかもこの開閉作業はロツク板の回動操作だけで行えるため極めて簡単に、且つ迅速に行えることになる。」と、それぞれ記載されている。
　
　また、解除状態におけるロツク装置の拡大正面図である第５図、第５図の右側面図である第６図、拘束状態における拡大正面図である第７図に示された事項を併せると、図面には「球供給樋５の近傍に設けられたガイド５８′」、「前方へはハンドル６１を突出させ、さらに、先端に傾斜を設けて形成されたストツパー部材５８が下方へ突設されたロツク装置５５」、「ストツパー部材５８をガイド５８′に沿つて上下にスライド自在に設け」、「ハンドル６１の回動操作によって、ストツパー部材５８が、球供給樋５内に進入・球供給樋５内から退出する」との技術事項が、それぞれ示されている。
　　
　したがって、引用刊行物１には、　
「賞球の貯留タンク４から球供給樋５を通して、賞球を放出する賞球装置に、貯留球を供給可能なパチンコ機であって、
　球供給樋５の近傍にガイド５８′が設けられているとともに、
　前方へはハンドル６１を突出させ、さらに、先端に傾斜を設けて形成されたストツパー部材５８が下方へ突設されたロツク装置５５が、前記ストツパー部材５８を前記ガイド５８′に沿つた状態で、上下にスライド自在に設けられており、
　ロツク装置５５のハンドル６１を右方に倒すと、ロツク板５７の回動に伴つてストツパー部材５８が球供給樋５内に進入して球供給樋５からの球の流出を防止し、ハンドル６１を垂直に起立させてロツク装置５５のロツク板５７を回動させることでストツパー部材５８が球供給樋５内から退出して賞球装置への球の補給がなされる、パチンコ機。」の発明（以下、「引用発明１」という。）が記載されていると認められる。　
　　　
　当審の拒絶理由通知に引用され、本願出願前に頒布された特開平９−２８５６１７号公報（以下、「引用刊行物２」という。）には、次の事項が記載されている。
　（２ａ）「【００１１】
【発明の実施の形態】本発明の実施の形態を図１〜図８を参照して説明する。図において、１はパチンコ機Ａの前面下部に設けたパチンコ球を貯留する球受下皿で、下部に遮蔽板３により球抜き孔２を開閉する球抜き操作装置１５が設置され、該操作装置１５を開操作するとこれを検知する検知手段４が設けられている。・・・」　
　（２ｂ）「【００１９】
【実施例】本発明の実施例を図面を参照して説明する。図において、１はパチンコ機Ａの前面下部に設けたパチンコ球を貯留する球受下皿で、底部に球抜き孔２が開設された球受皿部１７と前面周縁を囲う縁枠１８とからなっている。１５は上記球受皿部１７の裏面に設置する球抜き操作装置で、球抜き孔２の主に開操作をする操作部１９を前方に突出して一体に形成した遮蔽板３と、該遮蔽板３の下面に設けた摺動溝２０を嵌合し左右に摺動案内するガイド部２１と、遮蔽板３を球抜き孔２を閉止する方向に付勢するバネ２７と、パチンコ球の落下孔２２を開設した枠体２３とから構成されている。２８は、枠体２３の側壁上面に設けた「開」位置、「閉」位置の係止凹部で、操作部１９の裏面に設けた係止突起を係脱可能として、遮蔽板３を開放位置に保持できるようになっている。」　
　
　また、閉止状態の球受下皿の球抜き操作装置の平面図である【図４】及び球抜き状態の球受下皿の球抜き操作装置の一部切欠平面図である【図５】に示された事項を併せると、図面には「枠体２３内に、平行して設けられた２つのガイド部２１」が、示されている。　
　　　
　したがって、引用刊行物２には、　
「球受皿部１７の裏面に設置される球抜き操作装置１５であって、
　枠体２３内に２つのガイド部２１が平行に設けられ、
　操作部１９を前方に突出して一体に形成した遮蔽板３が、該遮蔽板３の下面に設けた摺動溝２０を前記２つのガイド部２１に嵌合し、左右に摺動案内されて球抜き孔２を開閉し、
　前記枠体２３の側壁上面には「開」位置、「閉」位置の係止凹部２８を設け、前記操作部１９の裏面に設けた係止突起を係脱可能として、前記遮蔽板３を開放位置に保持できるようになっている、球抜き操作装置１５。」の発明（以下、「引用発明２」という。）が記載されていると認められる。
　
　当審の拒絶理由通知に引用され、本願出願前に頒布された特開平１１−２２６２１１号公報（以下、「引用刊行物３」という。）には、次の事項が記載されている。
　（３ａ）「【０００１】
【発明の属する技術分野】タンクから供給された遊技球を整列用レールを介して賞品球払い出し装置部に導く弾球遊技機に関する。」
　（３ｂ）「【００１２】また、前記タンク１２の遊技球出口１２ｈの下側には、その遊技球出口１２ｈを開閉するためのタンク用ストッパー２０が取り付けられている。前記タンク用ストッパー２０は、前記遊技球出口１２ｈを下方から囲むように位置決めされた角形の固定枠２２と、その固定枠２２に対して前後方向（Ｙ軸方向）にスライドして前記遊技球出口１２ｈを開閉するスライド板２４とから構成されている。前記固定枠２２は、スライド板２４を下方から支えた状態で前後方向（Ｙ軸方向）にガイドする部材であり、前後方向に延びる一対のＬ型枠材２２ｚと幅方向（Ｘ軸方向）に延びる一対の平型枠材２２ｆとによって角形に形成されている。」
　（３ｃ）「【００１５】また、スライド板２４の摺動側面には先端部と後端部とに半円形の凹部２４ｍが形成されており、一方、固定枠２２のＬ型枠材２２ｚの端部には前記凹部２４ｍと係合する半円形の凸部２２ｔが形成されている。そして、前記スライド板２４の後端部における凹部２４ｍと固定枠２２の凸部２２ｔとが、図５（Ａ），（Ｂ）に示されるように、係合した状態で、スライド板２４は遊技球出口１２ｈを閉鎖する位置に保持される。また、前記スライド板２４の前端部における凹部２４ｍと固定枠２２の凸部２２ｔとが係合した状態でスライド板２４は、図６に示されるように、遊技球出口１２ｈを開放する位置に保持される。
【００１６】ここで、固定枠２２のＬ型枠材２２ｚはある程度の弾力性を有しており、さらにＬ型枠材２２ｚの凸部２２ｔとスライド板２４の凹部２４ｍとは半円形に形成されているため、スライド板２４を前方に押したり、あるいは後方に引っ張ったりすることにより、凹部２４ｍと凸部２２ｔとの係合を容易に解除することができる。しかしながら、前記凹部２４ｍと凸部２２ｔとが係合している状態で振動等が加わっても両者２４ｍ、２２ｔの係合が自然に解除されることはない。」
　（３ｄ）「【００１９】・・・さらに、整列用レール３０の下端部には、図１、図２に示されるように、整列用レール３０内の遊技球Ｒの流出を止めるレール用ストッパー３６が装着されている。
【００２０】前記レール用ストッパー３６は、図２に示されるように、整列用レール３０の下側にガイドピン３６ｚを介して固定される板状の支持材３６ｓと、その支持材３６ｓ上で前記ガイドピン３６ｚに倣って昇降できる昇降部材３７とから構成されている。前記昇降部材３７は、前記ガイドピン３６ｚが通されるリング部３７ｒを中央に備えており、そのリング部３７ｒの両側に一対のストッパーピン３７ｐが固定されている。さらに、前記昇降部材３７の下側には縦に押圧ピン３７ｕが固定されており、その押圧ピン３７ｕが支持材３６ｓの貫通穴を介して下方に突出している。
【００２１】この構造により、押圧ピン３７ｕを押し上げると、昇降部材３７がガイドピン３６ｚに倣って上昇し、一対のストッパーピン３７ｐが整列用レール３０の開口３２ｋに挿通されて遊技球Ｒの流れが止められる（図３（Ｂ）参照）。また、押圧ピン３７ｕから手を放すと昇降部材３７が自重で支持材３６ｓの位置まで下降し、ストッパーピン３７ｐが整列用レール３０の開口３２ｋから抜かれてストッパーが解除される。なお、図３（Ｂ）には、レール用ストッパー３６の昇降部材３７のみが記載されている。」
　（３ｅ）「【００２６】次に、メンテナンス時に整列用レール３０を取り外す場合には、前記タンク用ストッパー２０を閉鎖する。前記タンク用ストッパー２０を閉鎖するには、図５に示されるように、スライド板２４の後端部に形成された凹部２４ｍが固定枠２２の凸部２２ｔに係合するまでそのスライド板２４を固定枠２２に押し込む。これによって、前記タンク用ストッパー２０は閉鎖状態に保持され、タンク１２内の遊技球Ｒは整列用レール３０に流れ込まなくなる。
【００２７】次に、整列用レール３０の取り外しを行う。前記整列用レール３０の取り外しは、レール用ストッパー３６の押圧ピン３７ｕを押し上げてストッパーピン３７ｐを働かせた状態で、整列用レール３０をケース部１５の爪１５ｙから後方に引き抜く。・・・なお、レール用ストッパー３６が動作したときにストッパー状態を保持するロック機構を設けることは当然可能である。」
　
　また、弾球遊技機の整列レールの要部断面図である【図３】（Ｂ）には「リング部３７ｒの上方にストッパーピン３７ｐを設けた昇降部材３７」が、示されている。　　　　
　
　したがって、引用刊行物３には、　
「タンク１２から供給された遊技球を整列用レール３０を介して賞品球払い出し装置部に導く弾球遊技機において、
　（１）前記タンク１２に取り付けられるタンク用ストッパー２０は、遊技球出口１２ｈを下方から囲むように位置決めされた角形の固定枠２２と、その固定枠２２に対して前後方向にスライドして前記遊技球出口１２ｈを開閉するスライド板２４とから構成され、
　前記固定枠２２は、前後方向に延びる一対のＬ型枠材２２ｚと幅方向に延びる一対の平型枠材２２ｆとによって角形に形成され、
　スライド板２４の摺動側面には先端部と後端部とに半円形の凹部２４ｍが形成される一方、固定枠２２のＬ型枠材２２ｚの端部には半円形の凸部２２ｔが形成され、前記スライド板２４の後端部及び前端部における凹部２４ｍと固定枠２２の凸部２２ｔとが係合した状態で、スライド板２４は遊技球出口１２ｈを閉鎖する位置及び開放する位置に保持され、
　固定枠２２のＬ型枠材２２ｚはある程度の弾力性を有しており、
　（２）整列用レール３０の下端部には、整列用レール３０内の遊技球Ｒの流出を止めるレール用ストッパー３６が装着され、
　前記レール用ストッパー３６は、整列用レール３０の下側にガイドピン３６ｚを介して固定される板状の支持材３６ｓと、その支持材３６ｓ上で前記ガイドピン３６ｚに倣って昇降できる昇降部材３７とから構成され、
　前記昇降部材３７は、前記ガイドピン３６ｚが通されるリング部３７ｒを中央に備え、そのリング部３７ｒの上方に一対のストッパーピン３７ｐが固定され、下側には押圧ピン３７ｕが固定され、その押圧ピン３７ｕが支持材３６ｓの貫通穴を介して下方に突出し、
　押圧ピン３７ｕを押し上げると、一対のストッパーピン３７ｐが整列用レール３０の開口３２ｋに挿通されて遊技球Ｒの流れが止められ、
　押圧ピン３７ｕから手を放すと昇降部材３７が自重で支持材３６ｓの位置まで下降し、ストッパーピン３７ｐが整列用レール３０の開口３２ｋから抜かれてストッパーが解除され、
　レール用ストッパー３６が動作したときにストッパー状態を保持するロック機構を設けることが可能な、
弾球遊技機。」の発明（以下、「引用発明３」という。）が記載されていると認められる。　
　
第３．対比・検討　
　本願発明と引用発明１とを対比する。
　（第３−１）引用発明１の「賞球の貯留タンク４」は本願補正発明の「遊技球を貯留する遊技球タンク」に相当し、以下同様に「賞球を放出する賞球装置」は「遊技球を払い出す遊技球払出装置」に、「球供給樋５」は「整列通路」に、「パチンコ機」は「パチンコ機」に、「ハンドル６１」は「摘み」に、「ストツパー部材５８」は「塞き止め片」に、「ロツク装置５５」は「球止め部材」に、それぞれ相当する。そして、引用発明１の「球供給樋５を通して、貯留球を供給可能」との技術事項は、本願発明の「整列通路を介して連通している」の技術事項に相当する。
　（第３−２）また、引用発明１の「ガイド５８′」は本願補正発明の「２つのガイド壁」と比較して、「ガイド部材」において一致する。
　（第３−３）さらに、引用発明１の「先端に傾斜を設けて形成されたストツパー部材５８が下方へ突設されたロツク装置５５」及び「ストツパー部材５８を前記ガイド５８′に沿つた状態で、上下にスライド自在に設けられ」との技術事項を、本願発明の「支持部の上端縁に、先端に傾斜を設けて刀身状に形成された塞き止め片が突設された球止め部材」及び「２つのガイド壁の間に前記支持部を挿入させた状態で、上下にスライド自在に設けられ」と比較すると、本願発明の「支持部」は「球止め部材」の所定の一部分を構成する部材であるから、「球止め部材の所定部分に、先端に傾斜を設けて形成された塞き止め片が突設された球止め部材」及び「球止め部材の所定部分をガイド部材に沿った状態で、上下にスライド自在に設けられ」との技術事項において、それぞれ一致する。
　（第３−４）次に、引用発明１の「ロツク装置５５のハンドル６１を右方に倒す」及び「ハンドル６１を垂直に起立させ」を本願発明の「球止め部材の上方へのスライド」及び「塞き止め状態にある前記球止め部材の下方へのスライド」と比較すると、本願発明の「球止め部材」が上方へスライドした状態は塞き止め状態にあるから、「球止め部材の一方への移動」及び「塞き止め状態にある前記球止め部材の他方への移動」においてそれぞれ一致する。
　（第３−５）引用発明１の「ストツパー部材５８が球供給樋５内に進入して球供給樋５からの球の流出を防止し」及び「ストツパー部材５８が球供給樋５内から退出して賞球装置への球の補給がなされる」は、本願発明の「塞き止め片が前記整列通路内に進入して前記遊技球払出装置への遊技球の流下を防止し」及び「塞き止め片が前記整列通路内から退出して前記遊技球払出装置への遊技球への流下を許容する」にそれぞれ相当する。
　
　したがって、両者は、　
「遊技球を貯留する遊技球タンクと、遊技球を払い出す遊技球払出装置とが、整列通路を介して連通しているパチンコ機であって、
　整列通路の近傍にガイド部材が設けられているとともに、
　前方へは摘みを突出させ、さらに、所定部分に、先端に傾斜を設けて形成された塞き止め片が突設された球止め部材が、前記所定部分をガイド部材に沿った状態で、上下にスライド自在に設けられており、
　前記球止め部材の一方への移動によって、前記塞き止め片が前記整列通路内に進入して前記遊技球払出装置への遊技球の流下を防止し、塞き止め状態にある前記球止め部材の他方への移動によって、前記塞き止め片が前記整列通路内から退出して前記遊技球払出装置への遊技球への流下を許容する、パチンコ機。」の点で一致し、次の点で相違する。
　
　＜相違点１＞　
　本願発明では、設置凹部内に２つのガイド壁が平行に突設され、後方へ支持部を突出させた球止め部材が、前記２つのガイド壁の間に前記支持部を挿入させたのに対し、引用発明１では、塞き止め片（ストツパー部材５８）をガイド部材（ガイド５８′）に沿わせた点。　
　＜相違点２＞　
　先端に傾斜を設けて形成された塞き止め片が、本願発明では球止め部材の支持部の上端縁に、刀身状に形成され突設されているのに対し、引用発明１では球止め部材（ロツク装置５５）の下方に、突設されている点。　
　＜相違点３＞　
　本願発明では球止め部材の上方へのスライドによって、塞き止め片が整列通路内に進入し、前記球止め部材の下方へのスライドによって、前記塞き止め片が前記整列通路内から退出するのに対し、引用発明１では摘み（ハンドル）の回動操作に伴い、塞き止め片が下方へスライドして進入し、上方へスライドして退出する点。
　＜相違点４＞　
　本願発明では球止め部材に弾性係止片を設けるとともに、整列通路の近傍に係合突起を設け、前記弾性係止片と前記係合突起との係合により、前記球止め部材を塞き止め状態で保持可能としたのに対し、引用発明１ではそのような構成を有するかどうか明らかでない点。
　
　上記相違点について検討する。
　＜相違点１について＞　
　引用発明２の「２つのガイド部２１」について検討すると、「枠体２３内に２つのガイド部２１が平行に設けられ」、「２つのガイド部２１に、球抜き孔２を開閉する遮蔽板３の下面に設けた摺動溝２０を嵌合」するものであるから、当該「ガイド部２１」が「枠体２３内に平行に突設されている」との構成を有することは明らかである。
　そして、球止め部材とガイド部材との具体的な関連構成をどのような構成とするかは、部材の取付箇所やガイドする方向などに基づいて当業者が適宜決定できる設計的事項である。また、引用発明１に示された「塞き止め片（ストツパー部材５８）」と引用発明２に示された「球抜き孔２を開閉する遮蔽板３」とが「ガイド部材で案内される、遊技球の流下を防止及び許容する、スライド部材」において共通することを考慮すれば、引用発明２に示された「２つのガイド壁」を備えたガイド部材を引用発明１のガイド部材（ガイド５８′）に適用する際に、球止め部材の後方へ支持部を突出させて、相違点１に係る本願発明を特定する事項とすることは、当業者が容易になし得ることである。
　＜相違点２について＞　
　球止め部材及び塞き止め片の具体的な形状及び構造並びに配置方向をどのような構成とするかは、部材の取付箇所や操作の容易性などに基づいて当業者が適宜決定できる設計的事項である。そして、引用発明３には「球止め部材（昇降部材３７）の上方に突設された塞き止め片（一対のストッパーピン３７ｐ）」が記載されているから、引用発明１の下方に突設されている塞き止め片（ストツパー部材５８）について、上下方向を反転させ、相違点２に係る本願発明を特定する事項とすることは、当業者が容易になし得ることである。　
　＜相違点３について＞　
　球止め部材の具体的な構造をどのような構造とするかは、部材の取付箇所や操作の容易性などに基づいて当業者が適宜決定できる設計的事項である。そして、引用発明３には「球止め部材（昇降部材３７）の上方へのスライド（押し上げ）によって、整列通路（整列用レール３０）内に進入し、前記球止め部材の下方へのスライド（自重で下降）によって、整列通路内から退出する塞き止め片（一対のストッパーピン３７ｐ）」が記載されているから、引用発明１の球止め部材（ロツク装置５５）に替えて当該技術を適用し、相違点３に係る本願発明を特定する事項とすることは、当業者が容易になし得ることである。
　＜相違点４について＞　
　引用発明２に示された「・・・枠体２３の側壁上面には「開」位置、「閉」位置の係止凹部２８を設け、前記操作部１９の裏面に設けた係止突起を係脱可能として、前記遮蔽板３を開放位置に保持できるようになっている、球抜き操作装置１５。」の技術について検討すると、「閉」位置に係止凹部２８が設けられているから、遮蔽板３を開放位置に保持できるだけでなく、「遮蔽板３を閉位置にも保持できる」、即ち「遊技球の流下を防止する状態で保持可能な遮蔽板３」の技術が示されていることは、当業者にとって、明らかな事項である。そうすると、塞き止め状態で保持可能とした球止め部材は、例えば、上記引用発明２に示された「遮蔽板３」及び引用発明３に示された「遊技球出口１２ｈを閉鎖する位置に保持されるスライド板２４」及び「ストッパー状態を保持するロック機構を設けることが可能なレール用ストッパー３６」のように周知・慣用の技術と認められる。そして、保持可能とする機構を具体的にどのような構造とするかは当業者が適宜決定できる設計的事項であり、また、弾性係止片との係合により塞き止め状態で保持可能とした技術が引用発明３に「弾力性を有するＬ型枠材２２ｚに形成された半円形の凸部２２ｔと凹部２４ｍとが係合した状態で、スライド板２４は遊技球出口１２ｈを閉鎖する位置に保持」する技術として示されていることを併せて考慮すれば、相違点４に係る本願発明を特定する事項とすることは、当業者が容易になし得ることである。
　
　また、効果において、引用刊行物１には、上記（１ｄ）の欄に記載のように、「必要によつて機構枠体を基枠板１の背面から開放する際には・・・ストツパー部材５８を下降させて球供給樋５を閉ざし、機構枠体の開放によつて開くこの樋からの球の流出を未然に防止することになる。」と記載され、さらに、引用刊行物３には、上記（３ｃ）の欄に記載のように、「固定枠２２のＬ型枠材２２ｚはある程度の弾力性を有しており、さらにＬ型枠材２２ｚの凸部２２ｔとスライド板２４の凹部２４ｍとは半円形に形成されているため、・・・前記凹部２４ｍと凸部２２ｔとが係合している状態で振動等が加わっても両者２４ｍ、２２ｔの係合が自然に解除されることはない。」と記載されているから、本願発明による効果に格別のものは認められない。　
　　　　　
第４．むすび
　以上のとおり、本願発明は、当審の拒絶理由通知に引用された上記引用発明１乃至３に基づいて当業者が容易に発明をすることができたものであるから、本願の他の請求項に係る発明について検討するまでもなく、本願は、特許法第２９条第２項の規定により、特許を受けることができない。
　
　よって、結論のとおり審決する。